(57)【要約】【課題】専用の治具を用いることなく、容易にバネを張架したり、バネの長さを調整することにより、バネの引張り力を調整することの可能な天井収納式梯子のバネ調整構造を提供する。【構成】天井面の開口部の周辺に配設した収納枠に取付けられた固定部材の係着部に、天井収納式梯子を吊るためのバネの一方の端部である固定端を係着させて、前記固定端の係着位置を変化させることにより、前記バネの引張り力を調整する天井収納式梯子のバネ調整構造において、前記固定部材又は前記バネに棒体を係合させるための係合部を設け、前記係合部に前記棒体を係合させた状態で、前記棒体を移動させることにより、前記バネを伸張させて、最終的に前記バネを保持する位置に前記係着部の位置を固定させる。【選択図】  図３
2004308307.tif 000002
【特許請求の範囲】
【請求項１】
天井面の開口部の周辺に配設した収納枠に取付けられた固定部材の係着部に、天井収納式梯子を吊るためのバネの一方の端部である固定端を係着させて、前記固定端の係着位置を変化させることにより、前記バネの引張り力を調整する天井収納式梯子のバネ調整構造において、前記固定部材又は前記バネに棒体を係合させるための係合部を設け、前記係合部に前記棒体を係合させた状態で、前記棒体を移動させることにより、前記バネを伸張させて、最終的に前記バネを保持する位置に前記係着部の位置を固定させるものであることを特徴とする天井収納式梯子のバネ調整構造。
【請求項２】
前記係着部を複数個設けてなり、前記固定部材又は前記バネの係合部に前記棒体を係合させた状態で前記棒体を梃子として用いて、前記係着部の位置を選択的に変化させることで、前記固定端の係着位置を変化させることにより、前記バネが従来保持されている位置から最終的に保持される位置に変化させることができるものであることを特徴とする請求項１記載の天井収納式梯子のバネ調整構造。
【請求項３】
前記固定部材は、前記収納枠に固着する固定金具と前記バネを支持する支持金具とからなり、前記係合部を前記支持金具に設けてなり、前記支持金具が前記固定金具に対して回動可能なように軸着されてなり、前記係合部に前記棒体を係合させた状態で、前記支持金具が回動するものであることを特徴とする請求項２記載の天井収納式梯子のバネ調整構造。
【請求項４】
前記支持金具に前記係着部である係着孔を複数個穿設してなり、前記固定端を鍵状に形成してなり、前記鍵状の固定端を係着させる前記係着孔の位置を選択することにより、前記固定端の係着位置を変化させるものであることを特徴とする請求項３記載の天井収納式梯子のバネ調整構造。
【請求項５】
前記支持金具に支持金具係止部を設けてなり、前記固定金具に固定金具受部を設けてなり、前記固定金具受部に前記支持金具係止部を係止させることで、最終的に前記バネを保持する位置に前記係着部の位置を固定させるものであることを特徴とする請求項３又は請求項４記載の天井収納式梯子のバネ調整構造。
【請求項６】
前記固定金具に前記固定金具受部を複数個設けてなり、前記支持金具係止部と係止する前記固定金具受部を選択することにより、前記固定端の係着位置を変化させるものであることを特徴とする請求項３乃至請求項５のいずれかに記載の天井収納式梯子のバネ調整構造。
【請求項７】
前記固定端の近傍の前記バネに前記係合部であるバネ係合部を設けてなり、前記固定部材に前記棒体の先端が接触する接触突起片を設けてなり、前記棒体の先端が前記接触突起片に接触させて、前記棒体を係合させた状態で、前記棒体の先端を中心として前記バネ係合部を回動させることにより、前記バネの長さを一時的に伸張させて、前記固定端の係着位置を変化させるものであることを特徴とする請求項２記載の天井収納式梯子のバネ調整構造。
【請求項８】
前記バネ係合部が、前記バネを構成する線材の一部を加工してなる環であることを特徴とする請求項７記載の天井収納式梯子のバネ調整構造。
【請求項９】
前記固定端を鍵状に形成してなり、前記固定部材の上端部に前記固定端を係着する係着部である係着凹部を複数個設けてなり、前記係着凹部の位置を選択することにより、前記固定端の係着位置を変化させるものであることを特徴とする請求項７又は請求項８記載の天井収納式梯子のバネ調整構造。
【請求項１０】
前記固定部材は、前記収納枠に固着する固定金具と前記バネを支持する支持金具とからなり、前記支持金具にピニオンを設け、前記固定金具に前記ピニオンと係合する歯車を設けてなり、前記歯車を前記棒体と係合させた状態で、前記歯車を回動させて前記ピニオンを上下に移動させることにより、最終的に前記バネを保持する位置に前記係着部の位置を移動させることができるものであることを特徴とする請求項１記載の天井収納式梯子のバネ調整構造。
【発明の詳細な説明】
【０００１】
【発明の属する技術分野】
本発明は、使用時に天井面から吊り下ろされていて、天井裏への上り下りするために用いられる天井収納式梯子を吊るためのバネの引張り力を調整構造に関するものである。
【０００２】
【従来の技術】
通常は天井裏内部に収納されていて、使用時に天井面から吊り下ろされて、天井裏への上り下りするために用いられる天井収納式梯子は、図１に示すような構造をしている。このものは、梯子本体１２の両側にバネ１４が係着されていて、このバネ１４の弾力によりわずかな外力を加えることで、梯子本体１２を収納位置まで移動させることができるようになっている。
【０００３】
ここで、このバネを通常の支持構造が、特開２０００−１７９２６８号公報に開示されている。ここでは、バネの支持金具として、ターンバックルが用いられる。そとて、必要に応じてルバネの取付け位置を変化させることで、バネの長さを変化させて、バネの引張り力を調整していた。また、実開昭６１−３８３７号公報には、他のバネの取付け構造とバネの引張り力を調整構造の例が開示されている。
【０００４】
【特許文献１】
実開昭６１−３８３７号公報（第６−８頁、図１）
【０００５】
【特許文献２】
特開２０００−１７９２６８号公報（第３−６頁、図２）
【０００６】
【発明が解決しようとする課題】
特開２０００−１７９２６８号公報のターンバックルを用いたバネの支持構造や実開昭６１−３８３７号公報の構造では、バネを係着したり、バネの長さを調整するには、専用の治具を用いるか、バネを強く引っ張る等の作業が必要となっていた。
【０００７】
本発明は、かかる事由に鑑みてなしたもので、その目的とするところは、専用の治具を用いることなく、容易にバネを張架したり、バネの長さを調整することにより、バネの引張り力を調整することの可能な天井収納式梯子のバネ調整構造を提供することにある。
【０００８】
【課題を解決するための手段】
請求項１に係る発明は、天井面の開口部の周辺に配設した収納枠に取付けられた固定部材の係着部に、天井収納式梯子を吊るためのバネの一方の端部である固定端を係着させて、前記固定端の係着位置を変化させることにより、前記バネの引張り力を調整する天井収納式梯子のバネ調整構造において、前記固定部材又は前記バネに棒体を係合させるための係合部を設け、前記係合部に前記棒体を係合させた状態で、前記棒体を移動させることにより、前記バネを伸張させて、最終的に前記バネを保持する位置に前記係着部の位置を固定させるものであることを特徴としている。
【０００９】
請求項２に係る発明は、請求項１の天井収納式梯子のバネ調整構造において、前記係着部を複数個設けてなり、前記固定部材又は前記バネの係合部に前記棒体を係合させた状態で前記棒体を梃子として用いて、前記係着部の位置を選択的に変化させることで、前記固定端の係着位置を変化させることにより、前記バネが従来保持されている位置から最終的に保持される位置に変化させることができるものであることを特徴としている。
【００１０】
請求項３に係る発明は、請求項２の天井収納式梯子のバネ調整構造において、前記固定部材は、前記収納枠に固着する固定金具と前記バネを支持する支持金具とからなり、前記係合部を前記支持金具に設けてなり、前記支持金具が前記固定金具に対して回動可能なように軸着されてなり、前記係合部に前記棒体を係合させた状態で、前記支持金具が回動するものであることを特徴としている。
【００１１】
請求項４に係る発明は、請求項３の天井収納式梯子のバネ調整構造において、前記支持金具に前記係着部である係着孔を複数個穿設してなり、前記固定端を鍵状に形成してなり、前記鍵状の固定端を前記係着孔に係着させる前記係着孔の位置を選択することにより、前記固定端の係着位置を変化させるものであることを特徴としている。
【００１２】
請求項５に係る発明は、請求項３又は請求項４の天井収納式梯子のバネ調整構造において、前記支持金具に支持金具係止部を設けてなり、前記固定金具に固定金具受部を設けてなり、前記固定金具受部に前記支持金具係止部を係止させることで、最終的に前記バネを保持する位置に前記係着部の位置を固定させるものであることを特徴としている。
【００１３】
請求項６に係る発明は、請求項３乃至請求項５のいずれかの天井収納式梯子のバネ調整構造において、前記固定金具に前記固定金具受部を複数個設けてなり、前記支持金具係止部と係止する前記固定金具受部を選択することにより、前記固定端の係着位置を変化させるものであることを特徴としている。
【００１４】
請求項７に係る発明は、請求項２の天井収納式梯子のバネ調整構造において、前記固定端の近傍の前記バネに前記係合部であるバネ係合部を設けてなり、前記固定部材に前記棒体の先端が接触する接触突起片を設けてなり、前記棒体の先端が前記接触突起片に接触した状態で、前記棒体を係合させた状態で前記棒体の先端を中心として、前記バネ係合部を回動させることにより、前記バネの長さを一時的に伸張させて、前記固定端の係着位置を変化させるものであることを特徴としている。
【００１５】
請求項８に係る発明は、請求項７の天井収納式梯子のバネ調整構造において、前記バネ係合部が、前記バネを構成する線材の一部を加工してなる環であることを特徴としている。
【００１６】
請求項９に係る発明は、請求項７又は請求項８の天井収納式梯子のバネ調整構造において、前記固定端を鍵状に形成してなり、前記固定部材の上端部に前記固定端を係着する係着部である係着凹部を複数個設けてなり、前記係着凹部の位置を選択することにより、前記固定端の係着位置を変化させるものであることを特徴としている。
【００１７】
請求項１０に係る発明は、請求項１の天井収納式梯子のバネ調整構造において、前記固定部材は、前記収納枠に固着する固定金具と前記バネを支持する支持金具とからなり、前記支持金具にピニオンを設け、前記固定金具に前記ピニオンと係合する歯車を設けてなり、前記歯車を前記棒体と係合させた状態で、前記歯車を回動させて前記ピニオンを上下に移動させることにより、最終的に前記バネを保持する位置に前記係着部の位置を移動させることができるものであることを特徴としている。
【００１８】
【発明の実施の形態】
以下、本発明を実施形態に基づいて説明する。
（実施形態１）
実施形態１に係る天井収納式梯子のバネ調整構造を図１〜４に基づいて説明する。図１及び図２は天井収納式梯子の構造を示す図である。梯子本体１２は、３段に折りたたみ可能な構造になっていて、収納蓋１３に取付けられている。この収納蓋１３の端部の一方はヒンジ金具１６で収納枠１１に取り付けられていていて、揺動可能となっている。また、収納蓋１３は、アーム１５でも収納枠１１に接続されている。さらに、アーム１５はバネ１４によって、固定部材２１を介して、収納枠１１に吊られた構造になっている。この収納枠１１は、天井面１に設けた開口部２の周辺の根太３に固定されている。
【００１９】
次に、固定部材２１の構造について説明する。図３は固定部材の斜視図で、図４は固定部材の上面図（ａ）と前面図（ｂ）である。このものは、収納枠１１に取付けられる固定金具３１と、バネ１４を支持する支持金具３５とからなり、両者は鉄板等の金属板の切削・折り曲げ加工により作成される。また、支持金具３５は固定金具３１にかしめピン４５等で回動自在に取り付けられている。また、固定金具３１には、板の一部を切削して折り曲げることにより、固定金具受部である固定金具突起片４１が設けられている。一方、支持金具３５には、このものに対応する位置に支持金具係止部である支持金具孔４２が穿設されていて、固定金具突起片４１が支持金具孔４２に嵌合することで、支持金具３５が係止される構造になっている。また、支持金具３５の側面には、バネ１４の固定端を係着するための複数（本実施形態では４個）の係着孔４３が穿設されている。ここで、バネ１４の固定端は鍵状に形成されていて、係着孔４３に係着できる構造になっている。（図７参照）また、支持金具３５の上部の金属板を折り曲げた部分には、棒体６１を係合させるための係合部である係合孔４４、４４が穿設されている。前述したように、固定金具３１はビス等によって収納枠１１に取付けられ、支持金具３５の一の係着孔４３にバネ１４の固定端が挿入されることにより、バネ１４が支持される。
【００２０】
天井収納式梯子の取り出し及び収納の手順について説明する。通常は、梯子本体１２は、折りたたまれた状態で、収納蓋１３が開口部２を覆う状態で、収納されている。梯子本体１２を使用するには、収納蓋１３のヒンジ金具１６が取付けられているのと反対側を把持して、収納蓋１３を揺動させることで、梯子本体１２を引き出した後に、梯子本体１２を伸張させて固定する。このようにすることにより、人が梯子を通って、手摺１７を持って天井裏へと行くことができるようになる。一方、梯子を収納するには、まず、梯子本体１２を折りたたむ。この状態で、梯子本体１２及び収納蓋１３の自重と、バネ１４の弾力とが略釣り合っている状態になっている。したがって、収納蓋１３のヒンジ金具１６が取付けられているのと反対側を把持して、この部分を持ち上げると、後はバネ１４の弾力によって、収納蓋１３は、跳ね上がり、開口部２を覆う状態に戻る。ここで、梯子等の自重とバネ１４の引張り力とをバランスさせることにより、収納蓋１３を引き下げたり引き上げたりする操作を容易にしている。つまり、バネ１４の弾性力により、引き下げるときには急激に落下することを防止し、引き上げるときには弱い力で引き上げて収納することが可能になっている。このために、バネ１４の引張り力を調整することが重要となっている。
【００２１】
次に、本発明に係る固定部材２１を用いた、バネ１４の支持手順と引張り力の調整手順について説明する。図３に示すように、バネ１４の一方の端部は、常時アーム１５に係着されているので、他方の端部である固定端を固定部材２１に取付ける手順について説明する。まず、支持金具３５の係合孔４４、４４にドライバー等の棒体６１を挿入して、この棒体６１を梃子のように動作してＡの方向に移動させることにより、固定金具突起片４１と支持金具孔４２との係止を外す。次に、かしめピン４５を回転中心として棒体６１をＣの方向に回転させる。この状態で、所定の係着孔４３にバネ１４の固定端を挿入する。次に、かしめピン４５を回転中心として棒体６１をＤの方向に回転させて、さらに、Ｂの方向に回転させることにより、支持金具係止孔４２を固定金具突起片４１に係止させる。以上により、支持金具３５を固定金具３１に固定させて、最終的にバネ１４を保持する位置に係着孔４３の位置を固定させる。最後に、棒体６１を係合孔４４から取り外す。
【００２２】
また、バネ１４の長さを調整することにより引張り力を調整する手順は、前述したのと同様の手順による。まず、支持金具３５の係合孔４４に棒体６１を挿入して、Ａの方向にを回転させることにより、固定金具突起片４１と支持金具孔４２との係止を外す。そして、棒体６１をＣの方向に回転させた状態で、バネ１４を緩めた状態にして、バネ１４の固定端を係着孔４３から外す。そして、固定端を所定位置の係着孔４３に挿入し直して、棒体６１をＤの方向に回転させる。そして、棒体６１をＢの方向に回転させて、支持金具係止孔４２を固定金具突起片４１に係止させる。以上の手順により、バネ１４を支持する係着孔４３の位置を変化することにより、バネ１４の引張り力を調整させる。
【００２３】
本実施形態では、特別な専用治具を用いなくても、汎用の工具であるドライバーのような棒体を使用することにより、天井収納式梯子のバネを係着させたり、バネの長さを調整して、この引張り力を調整することができる。特に、棒体が梃子の働きをするので、大きな力を必要としないで、調整をすることが可能となる。
【００２４】
なお、本実施形態では、支持金具の係合部を係合孔としているが、必ずしも孔になっていなくてよい。（一部が切断されている形状であっても、棒体と係合できる形状であればよい。）また、係着孔も、バネの固定端と係着することができればよく、必ずしも孔になってなくてもよい。さらに、本実施形態では、固定金具に固定金具突起体を設け、支持金具に支持金具孔を設けて、両者を係止させている。この逆に、固定金具に固定金具孔を設け、支持金具に支持金具突起体を設けて、両者を係止させることでも同じ作用・効果を得ることができる。
【００２５】
（実施形態２）
実施形態２に係る天井収納式梯子のバネ調整構造を図５、６に基づいて説明する。図５は固定部材の斜視図で、図６は上面図（ａ）と前面図（ｂ）である。なお、天井収納式梯子の構造を示す図は、実施形態１と同様であり、図１及び図２である。また、天井収納式梯子の構造は、実施形態１と同じであるので、説明を省略する。また、本実施形態の固定部材２２は、実施形態１と同様に、収納枠１１に取付けられる固定金具３２と、バネ１４を支持させる支持金具３６とからなり、両者は鉄板等の金属板を切削・折り曲げることにより作成され、固定金具３２にかしめピン４５等で回動自在に取り付けられている。また、固定金具３２の側面には、複数（本実施形態では３個）の固定金具係止孔（固定金具受部）４６が、カシメピン４５の挿入孔を回転中心とする同一円周上に穿設されている。一方、支持金具３６には、このものに対応する位置に支持金具突起片（支持金具係止部）４７が設けられていて、固定金具係止孔４６が支持金具突起片４７に嵌合することで、支持金具３６が係止される構造になっている。また、支持金具３６の側面には、バネ１４の固定端を係着する複数の係着孔４３が穿設されている。加えて、支持金具３５の上部の金属板を折り曲げた部分には、棒体６１を係合させるための係合部である係合孔４４、４４が穿設されている。
【００２６】
バネ１４を係着する手順及びバネ１４の長さを調整することにより引張り力を調整する手順も実施形態１と略同様である。ただし、バネ１４の長さを調整するには、係着孔４３の位置によるものと、固定金具係止孔４６の位置によるものとがある。したがって、本実施形態では、両者を組合せることで、調整できる範囲が広くなっている。
【００２７】
なお、本実施形態では、固定金具に固定金具孔を設け、支持金具に支持金具突起片を設けて、両者を係止させている。この逆に、固定金具に固定金具突起片を設け、支持金具に支持金具孔を設けて、両者を係止させることでも同じ作用・効果を得ることができる。また、本実施形態では、バネの固定端を係着する係着孔は１個であっても、バネの引張り力をある程度調整することが可能となる。
【００２８】
（実施形態３）
実施形態３に係る天井収納式梯子のバネ調整構造を図７、８に基づいて説明する。図７は固定部材の斜視図で、図８は固定部材の上面図（ａ）と前面図（ｂ）である。なお、天井収納式梯子の構造を示す図は、実施形態１と同様であり、図１及び図２である。また、天井収納式梯子の構造は、実施形態１と同じであるので、説明を省略する。また、本実施形態の固定部材２３は、収納枠１１に取付けられる部位と、バネ１４の固定端を係着させる部位とが一体化した構造になっている。このものの前面の上部側には、固定端を係着する係着凹部（係着部）５１が複数（本実施形態では４個）形成されている。また、前面の下部側には、金属板を折り曲げることにより接触突起片５２が形成されている。一方、バネ１４の固定端付近には、バネ１４を形成する線材を加工することにより、バネ係合部である係合環５３が形成されている。また、実施形態１と同様に前記固定端は鍵状に形成されていて、係着凹部５１に係着できる構造になっている。
【００２９】
バネ１４を固定する手順及びバネの長さを調整することにより引張り力を調整する手順について説明する。まず、棒体６１を係合環５３に挿入した後、棒体６１の先端部を固定部材２３の接触突起片５２に係合させる。次に、棒体６１と接触突起片５２との接触部分を梃子の支点として、棒体６１をＥの方向に回転させて、バネ１４を伸張させたた状態にさせる。そして、棒体６１をＦのように移動させることにより、固定端を係着凹部５１に係着させる。また、バネ１４の長さを調整することにより引張り力を調整するには、前述したのと同様の手順による。つまり、係合環５３に棒体６１を挿入して、その先端を接触突起片５２に係合させる。そして、棒体６１と接触突起片５２との接触部分を梃子の支点として、棒体６１をＥの方向に回転させて、バネ１４を伸張させて、その固定端を係着凹部５１から外し、上下（Ｇの方向）に移動させることで他の係着凹部５１に移動させる。以上の手順により、バネ１４を支持する係着凹部５１の位置を変更することにより、バネ１４の引張り力が調整できる。
【００３０】
本実施形態では、固定部材が一体構造であり、構造が簡易なので、生産性を向上できて、コストダウンが期待できる。
【００３１】
なお、本実施形態で係合部は、必ずしも環になっていなくてもよい。（環の一部が切断されている形状であっても、棒体と係合できる形状になっていればよい。）
（実施形態４）
実施形態４に係る天井収納式梯子のバネ調整構造を図９、１０に基づいて説明する。図９は固定部材の斜視図で、図１０は固定部材の前面図である。なお、天井収納式梯子の構造を示す図は、実施形態１と同様であり、図１及び図２である。また、天井収納式梯子の構造は、実施形態１と同じであるので、説明を省略する。また、固定部材２４は、実施形態１と同様に、収納枠１１に取付けられる固定金具３３と、バネ１４を支持させる支持金具３７とからなっている。支持金具３７は、金属板を切削して形成されたもので、端面にピニオン５５が形成されている。また、支持金具３７の上部には、バネ１４の固定端を係着する係着孔（係着部）４３が穿設されている。一方、固定金具３３は、支持金具３７が嵌合する部分と、ピニオン５５と係合する歯車のウォーム５６が設けら、このウォームの上部には、棒体６１と係合する係合孔（係合部）５７が形成されている。係合孔５７に係合させた棒体６１をＨの方向に回動させることにより、ウォーム５６を回動させて、ピニオン５５を上下に移動させる。この結果として、支持金具３７が上下に移動する構造になっている。
【００３２】
バネ１４を固定するには、まず、ウォーム５６を回動させて、支持金具３７を最も低い位置に移動させる。この状態で支持するバネ１４の長さは、最も短くなっているので、あまり大きな力で引張ることなく、バネ１４を係着孔４３に取り付けることができる。そして、ウォーム５６を回動させることで、係着孔４３の高さを所定位置まで高くすることで、バネ１４の長さを調整する。
【００３３】
本実施形態では、ウォーム５６を回動させるという簡単な動作によって、バネ１４の調整をすることができる。さらに、係着位置を連続的に移動させることができるので、バネの長さの微調整が可能となり、バネの引張り力も微調整ができる。
【００３４】
【発明の効果】
請求項１に係る発明は、天井面の開口部の周辺に配設した収納枠に取付けられた固定部材の係着部に、天井収納式梯子を吊るためのバネの一方の端部である固定端を係着させて、前記固定端の係着位置を変化させることにより、前記バネの引張り力を調整する天井収納式梯子のバネ調整構造において、前記固定部材又は前記バネに棒体を係合させるための係合部を設け、前記係合部に前記棒体を係合させた状態で、前記棒体を移動させることにより、前記バネを伸張させて、最終的に前記バネを保持する位置に前記係着部の位置を固定させるものであることを特徴としているので、専用治具が不要で、前記バネの引張り力を調整させることができる。
【００３５】
請求項２に係る発明は、請求項１の天井収納式梯子のバネ調整構造において、前記係着部を複数個設けてなり、前記固定部材又は前記バネの係合部に前記棒体を係合させた状態で前記棒体を梃子として用いて、前記係着部の位置を選択的に変化させることで、前記固定端の係着位置を変化させることにより、前記バネが従来保持されている位置から最終的に保持される位置に変化させることができるものであることを特徴としているので、請求項１の効果に加え、係着位置を選択してなるために、係止状態が安定となり、加えて、前記棒体を梃子として用いるために、弱い力でも、バネを支持させたり、引張り力を変化させることができる。
【００３６】
請求項３に係る発明は、請求項２の天井収納式梯子のバネ調整構造において、前記固定部材は、前記収納枠に固着する固定金具と前記バネを支持する支持金具とからなり、前記係合部を前記支持金具に設けてなり、前記支持金具が前記固定金具に対して回動可能なように軸着されてなり、前記係合部に前記棒体を係合させた状態で、前記支持金具が回動するものであることを特徴としているので、請求項２の効果に加え、前記支持金具を回動するので係着部の位置の調節やバネの支持が容易になる。
【００３７】
請求項４に係る発明は、請求項３の天井収納式梯子のバネ調整構造において、前記支持金具に前記係着部である係着孔を複数個穿設してなり、前記固定端を鍵状に形成してなり、前記鍵状の固定端を前記係着孔に係着させる前記係着孔の位置を選択することにより、前記固定端の係着位置を変化させるものであることを特徴としているので、請求項３の効果に加え、係着部の位置を選択してなるために、係止状態がさらに安定となる。
【００３８】
請求項５に係る発明は、請求項３又は請求項４の天井収納式梯子のバネ調整構造において、前記支持金具に支持金具係止部を設けてなり、前記固定金具に固定金具受部を設けてなり、前記固定金具受部に前記支持金具係止部を係止させることで、最終的に前記バネを保持する位置に前記係着部の位置を固定させるものであることを特徴としているので、請求項３又は請求項４の効果に加え、前記固定金具受部に前記支持金具係止部を係止されるので、係止状態がさらに安定となる。
【００３９】
請求項６に係る発明は、請求項３乃至請求項５のいずれかの天井用梯子のバネ調整構造において、前記固定金具に前記固定金具受部を複数個設けてなり、前記支持金具係止部と係止する前記固定金具受部を選択することにより、前記固定端の係着位置を変化させるものであることを特徴としているので、請求項３又は請求項４の効果に加え、選択位置の範囲が広くなり、引張り力を調整する範囲が広くなる。
【００４０】
請求項７に係る発明は、請求項２の天井収納式梯子のバネ調整構造において、前記固定端の近傍の前記バネに前記係合部であるバネ係合部を設けてなり、前記固定部材に前記棒体の先端が接触する接触突起片を設けてなり、前記棒体の先端が前記接触突起片に接触した状態で、前記棒体を係合させた状態で前記棒体の先端を中心として、前記バネ係合部を回動させることにより、前記バネの長さを一時的に伸張させて、前記固定端の係着位置を変化させるものであることを特徴としているので、請求項２の効果に加え、構造が簡易なので、生産性を向上させて、コストダウンが期待できる。
【００４１】
請求項８に係る発明は、請求項７の天井収納式梯子のバネ調整構造において、前記バネ係合部が、前記バネを構成する線材の一部を加工してなる環であることを特徴としているので、請求項７の効果に加え、バネ係合部をバネ本体と同時に製造でき、部品点数の削減ができる。
【００４２】
請求項９に係る発明は、請求項７又は請求項８の天井収納式梯子のバネ調整構造において、前記固定端を鍵状に形成してなり、前記固定部材の上端部に前記固定端を係着する係着部である係着凹部を複数個設けてなり、前記係着凹部の位置を選択することにより、前記固定端の係着位置を変化させるものであることを特徴としているので、請求項７又は請求項８の効果に加え、係着位置を選択してなるために、係止状態が安定となる。
【００４３】
請求項１０に係る発明は、請求項１の天井収納式梯子のバネ調整構造において、前記固定部材は、前記収納枠に固着する固定金具と前記バネを支持する支持金具とからなり、前記支持金具にピニオンを設け、前記固定金具に前記ピニオンと係合する歯車を設けてなり、前記歯車を前記棒体と係合させた状態で、前記歯車を回動させて前記ピニオンを上下に移動させることにより、最終的に前記バネを保持する位置に前記係着部の位置を移動させることができるものであることを特徴としているので、請求項１の効果に加え、歯車を回動させるという簡単な動作によって、バネの調整をすることができ、連続的に位置調整ができるので、微調整が可能となる。
【図面の簡単な説明】
【図１】天井収納式梯子を示す斜視図である。
【図２】実施形態１に係る天井収納式梯子を示す横断面図である。
【図３】実施形態１に係るバネ調整構造のための固定部材を示す斜視図である。
【図４】実施形態１に係るバネ調整構造のための固定部材を示す横断面図である。
【図５】実施形態２に係るバネ調整構造のための固定部材を示す斜視図である。
【図６】実施形態２に係るバネ調整構造のための固定部材を示す横断面図である。
【図７】実施形態２に係るバネ調整構造のための固定部材を示す斜視図である。
【図８】実施形態３に係るバネ調整構造のための固定部材を示す横断面図である。
【図９】実施形態４に係るバネ調整構造のための固定部材を示す斜視図である。
【図１０】実施形態４に係るバネ調整構造のための固定部材を示す横断面図である。
【符号の説明】
１            天井面
２            開口部
３            根太
１１          収納枠
１２          梯子本体
１３          収納蓋
１４          バネ
１５          アーム
１６          ヒンジ金具
１７          手摺
２１〜２４    固定部材
３１〜３３    固定金具
３５〜３７    支持金具
４１          固定金具突起片（受部）
４２          支持金具係止孔（係止部）
４３          係着孔（係着部）
４４          係合孔（係合部）
４５          カシメピン
４６          固定金具係止孔（受部）
４７          支持金具突起片（係止部）
５１          係着凹部（係着部）
５２          接触突起片
５３          係合環（バネ係合部）
５５          ピニオン
５６          ウォーム
５７          係合孔（係合部）
６１          棒体
【図１】
2004308307.tif 000003
【図２】
2004308307.tif 000004
【図３】
2004308307.tif 000005
【図４】
2004308307.tif 000006
【図５】
2004308307.tif 000007
【図６】
2004308307.tif 000008
【図７】
2004308307.tif 000009
【図８】
2004308307.tif 000010
【図９】
2004308307.tif 000011
【図１０】
2004308307.tif 000012